(57)【要約】【課題】機能的であり、面白みのある入れ物を提供するものである。【解決手段】入れ物部分が内外に折り曲がる構造であり、入れ物部分下辺が接合されておらず、下辺はボタン等により随時開閉可能であって、形状の変化が可能である構造および該構造を持つ製品。変形が可能であることから、利き手が右でも左でも使いやすい構造および該構造を持つ製品。変形後は違った色使いで利用できる構造および該構造を持つ製品。【選択図】図１
2016144548.tif 000002
【特許請求の範囲】
【請求項１】
入れ物部分が内外に折り曲がる構造になっているものである。
【請求項２】
入れ物下辺が接合されていない構造であること。
【請求項３】
入れ物下部はボタン等によって随時開閉が可能な構造となっていること。
【請求項４】
形状が変化することにより、利き手が左利き、右利きのどちらでも使いやすい構造を実現していること。
【請求項５】
形状を変化させることにより、違った色使いで利用できること。
【発明の詳細な説明】
【技術分野】
【０００１】
本発明は、財布、カバン、小物入れに関する。
【発明の概要】
【発明が解決しようとする課題】
【０００２】
機能的であり、面白みのある財布を提供するものである。
【課題を解決するための手段】
【０００３】
折り曲がり部分が内外に自由に折り曲がる構造となっていること。
【０００４】
入れ物下辺が接合されていない構造であること。
【０００５】
入れ物下部はボタンやベルトを使って随時開閉が可能な構造であるもの。
【０００６】
可変することにより利き手が左利き、右利きのどちらでも使いやすい構造を実現していること。
【０００７】
部材が独立しており、各部材の色を変えることにより、変形後は違った色使いで利用できること。
【図面の簡単な説明】
【０００８】
【図１】本発明を利用した札入れの例であり、札入れ上部が開かれている状態を札入れ正面から見た図である。
【図２】図１を札の入れ口上方から見た図であり、札入れ下部を閉じるためのボタンを外した状態をあらわした図である。
【図３】本発明を利用した、利き手が右でも左でも利用しやすいように変形できる、小銭入れ、カード入れつき財布を正面から見た図である。
【図４】図3の小銭入れ、カード入れ部分を閉じた状態をあらわした図である。
【図５】図3を奥側から見た状態をあらわした図である。
【図６】図4を奥側から見た状態をあらわした図である。
【図７】図3の財布について、小銭入れ、カード入れのボタンを留めていない状態で、上から内側を見た状態をあらわした図である。
【図８】図3の財布を、左利きに便利なように変形した状態をあらわしたものである。
【発明を実施するための形態】
【０００９】
次に図面を参照しながら実施例の説明を行う。本発明は以下の実施例に限定されるものではない。
【実施例】
【００１０】
実施例１
図１は、本発明を利用した、札入れをあらわした図であり、札入れ上部が開かれた状態である。
図１の財布は、札保持部分である部材イ、ロ、ハ、ニを折り曲がり箇所用の部材ホ、ヘ、ト、チでつないだものである。
図２は図１の札入れを札の入り口上方から見た図であり、ボタンである部材リ、ヌ、ル、ヲは部材イ、ロ、ハ、ニの下辺に近い位置内側に位置している。図２ではボタンは留められていない状態である。
図２に示すとおり、本発明による財布は、財布下辺を接合していないものであり、下辺はボタン等で留めることにより、随時開閉が可能な構造である。
ボタン部材リは部材ヌまたはヲの２箇所に留めることができる。
ボタン部材ルは、部材ヌまたはヲの２箇所の内、ボタン部材リが留められていない方に留めることができる。
本構造から、図２の財布は、次の２例の状態に変形が可能である。
例１）
ボタン部材ルとヲを留め、ボタン部材リとヌを留めた状態であり、札入れの一つの外面が部材イとロ、他方の外面がニとハとなっている状態（図１参照）。
例２）
ボタン部材ルとヌを留め、ボタン部材リとヲを留めた状態であり、財布の一つの外面が部材ハとロ、他方の外面がニとイとなっている状態。
【００１１】
部材イ、ロ、ハ、ニの色を赤、青、黄、白とした場合、
例１のケースでは赤、青の札入れ外側と、黄、白の札入れ外側となり、
例２のケースでは青、黄の札入れ外側と、白、赤の札入れ外側が出現することとなる。
【００１２】
全ての折り曲がり箇所を折り線として内外に折り曲がることが可能であるため、二つ折りにした場合には４色の中で好きな面を表に出して利用することができる。
【００１３】
実施例２
図３は、本発明を利用した、小銭入れ、カード入れを有する二つ折り財布をあらわした図である。
図３、４、５、６、７、８は全て同一の財布の全体図をあらわしたものであり、違う方向から見た図および変形後の図である。
図３は、札入れ上部が開かれており、小銭入れ部分が財布手前側に向かって開いており、カード入れが奥を向いて開いている状態をあらわしたものである。
小銭入れ部分は部材ａ、ｂ、ｃ、ｄからなる（図3参照）。
カード入れ部分は部材e、ｆ、ｇ、ｈからなる（図5参照）。
札入れ部分は、小銭入れ部分とカード入れ部分にも利用されている部材ｄ、ｈと、部材ｉ、ｊを折り曲がり箇所用部材であるｋ、ｍ、ｎ、ｐで接合されたものからなる（図３参照）。
【００１４】
図7は小銭入れ、カード入れのボタンを留めておらず、図３の財布を開いた状態の内側を上方から見た状態をあらわした図である。
この状態から、図4の様に小銭入れ、カード入れを閉じる方法は次のとおりである。
イ）図７において、部材ｄとiを部材nを折り線として曲げ、部材ａを含む小銭入れ部分を部材ｉの下側を通して外側に出し、小銭入れ部分を折り上げることによって部材ａにあるボタンｑを部材ｉの外側にあるボタンｒに留める。
ロ）図７において、部材ｈとｊを部材ｋを折り線として曲げ、部材ｅを含むカード入れ部分を部材ｊの下側を通して外側に出し、カード入れ部分を折り上げることによって部材ｅにあるボタンｓを部材ｊの外側にあるボタンｔに留める。
小銭入れ、カード入れを閉じることにより、札入れ下部を閉じる構造となっている。
図4の状態を利用する場合には次のようになると想定される。
図4の状態において、左手で図4奥側から財布を保持し、部材ｄを含む小銭入れ部分が右手手前側になった状態で札入れや小銭入れを利用する。
すなわち、右利きの財布利用者を想定している。
【００１５】
左利きの利用者を想定してみると、図8のような形状が求められると考えられる。
すなわち、図8の奥側から右手で保持し、部材ｄを含む小銭入れ部分が左手手前側になった状態で札入れや小銭入れを利用する。
本発明では、同一の財布でありながら、図8の状態にも変形することができる。
図7から図8の状態に変形するためには次の手順となる。
ハ）図７において、部材ｄとｊを部材ｐを折り線として曲げ、部材ａを含む小銭入れ部分を部材ｊの下側を通して外側に出し、小銭入れ部分を折り上げることによって部材ａにあるボタンｑを部材ｊの外側にあるボタンｔに留める。
ニ）図７において、部材ｈとｉを部材ｍを折り線として曲げ、部材eを含むカード入れ部分を部材ｉの下側を通して外側に出し、カード入れ部分を折り上げることによって部材ｅにあるボタンｓを部材ｉの外側にあるボタンｒに留める。
【００１６】
変形することにより、札入れ部分の外側にあらわれる面が変わり、また小銭入れ部分とカード入れ部分を留める場所が変わるため、部材の色を変えることにより、変形時には違う色使いで利用できるものである。
【産業上の利用可能性】
【００１７】
小銭入れ、カードケース、カバンをはじめとした入れ物全般に利用できるものである。
【図１】
2016144548.tif 000003
【図２】
2016144548.tif 000004
【図３】
2016144548.tif 000005
【図４】
2016144548.tif 000006
【図５】
2016144548.tif 000007
【図６】
2016144548.tif 000008
【図７】
2016144548.tif 000009
【図８】
2016144548.tif 000010